(57)【要約】【課題】反射シートの縁で、反射シートの位置決めと固定との両方を行うことが可能な表示装置等を提供すること。【解決手段】表示装置は、前面に映像を表示する表示パネルの後面を覆い、該表示パネルの後面への照射光の光源および該光源の発光を反射する反射シート２０を収容する収容体３０と、前記収容体３０の縁部に前側に向けて突設され、基部４１および該基部４１よりも大きい断面寸法を有する頭部４２を有する突起４０と、前記反射シート２０の縁部に形成され、前記突起４０に係合する孔部２１および該孔部２１に連続して設けられたスリット部２２とを備える。【選択図】図２
2017162779.tif 000002
【特許請求の範囲】
【請求項１】
前面に映像を表示する表示パネルの後面を覆い、該表示パネルの後面への照射光の光源および該光源の発光を反射する反射シートを収容する収容体と、
前記収容体の縁部に前側に向けて突設され、基部および該基部よりも大きい断面寸法を有する頭部を有する突起と、
前記反射シートの縁部に形成され、前記突起に係合する孔部および該孔部に連続して設けられたスリット部と
を備える表示装置。
【請求項２】
前記孔部は、前記頭部の最大断面寸法よりも小さい寸法である、請求項１に記載の表示装置。
【請求項３】
前記突起は、基端部の断面の形状および最も太い部分の断面の形状がいずれも円形であり、
前記孔部は円形であり、
式（１）および式（２）の関係を満たす、請求項１または請求項２に記載の表示装置。
Ｈ＜Ｆ＜Ｇ    ………（１）
Ｈ＋２ｔ＜Ｆ    ………（２）
Ｈは、突起の基端部の直径。
Ｇは、突起の最も太い部分の直径。
Ｆは、孔部の直径。
ｔは、反射シートの厚さ。
【請求項４】
前記スリット部は、前記反射シートの縁と平行である請求項１から請求項３のいずれか一つに記載の表示装置。
【請求項５】
請求項１から４のいずれか一つに記載の表示装置と、
テレビジョン放送を受信する受信部と
を備え、
前記受信部にて受信したテレビジョン放送に基づいて、前記表示装置に映像を表示するようにしてあるテレビジョン受信機。
【発明の詳細な説明】
【技術分野】
【０００１】
本発明は、表示装置およびテレビジョン受信機に関する。
【背景技術】
【０００２】
バックライト用光源を収容する収容体の底面を反射シートで覆い、光源が放射する光を反射シートにより反射することにより、効率良く液晶パネルに入射させる液晶表示装置が提案されている。
【０００３】
反射シートの縁に設けた位置決め用の突出部を、支持枠に設けた位置決め用の溝に勘合する表示装置が開示されている（特許文献１）。収容体の底面に、低頭ねじを用いて反射シートをスライド可能な状態に固定するバックライトユニットが開示されている（特許文献２）。収容体の底面に多数固定されたＬＥＤ（Light Emitting Diode）のそれぞれを覆うレンズを反射シートに設けた孔に通すことにより、反射シートを固定する表示装置が開示されている（特許文献３）。
【先行技術文献】
【特許文献】
【０００４】
【特許文献１】特開２０１３−１９８５４０号公報
【特許文献２】特開２０１１−８６３９４号公報
【特許文献３】特開２０１３−１９８５４０号公報
【発明の概要】
【発明が解決しようとする課題】
【０００５】
特許文献１に開示された表示装置では、反射シートは支持枠に設けた溝に差し込まれているだけなので、固定が不十分である。そのため、表示装置の組立の途中で、反射シートが外れる場合がある。特許文献２および特許文献３に開示された表示装置では、反射シートの中央部付近で収容体への固定を行う。大画面の表示装置を製造する場合には、反射シートの中央部まで組立作業者の手が届きにくいため、組立作業が難しい。
【０００６】
一つの側面では、反射シートの縁で反射シートの位置決めと固定との両方を行うことが可能な表示装置を提供することを目的とする。
【課題を解決するための手段】
【０００７】
本発明にかかる表示装置は、前面に映像を表示する表示パネルの後面を覆い、該表示パネルの後面への照射光の光源および該光源の発光を反射する反射シートを収容する収容体と、前記収容体の縁部に前側に向けて突設され、基部および該基部よりも大きい断面寸法を有する頭部を有する突起と、前記反射シートの縁部に形成され、前記突起に係合する孔部および該孔部に連続して設けられたスリット部とを備える。
【０００８】
本発明にかかる表示装置は、前記孔部は、前記頭部の最大断面寸法よりも小さい寸法である。
【０００９】
本発明にかかる表示装置は、前記突起は、基端部の断面の形状および最も太い部分の断面の形状がいずれも円形であり、前記孔部は円形であり、Ｈ＜Ｆ＜ＧおよびＨ＋２ｔ＜Ｆの関係を満たす。ここで、Ｈは突起の基端部の直径、Ｇは突起の最も太い部分の直径、Ｆは孔部の直径、ｔは反射シートの厚さである。
【００１０】
本発明にかかる表示装置は、前記スリット部は、前記反射シートの縁と平行である。
【００１１】
本発明にかかるテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてある。
【発明の効果】
【００１２】
反射シートの縁で、反射シートの位置決めと固定との両方を行うことが可能な表示装置を提供することができる。
【図面の簡単な説明】
【００１３】
【図１】表示装置の半断面図および断面図である。
【図２】収容体と反射シートとを固定する手順を示す説明図である。
【図３】収容体と反射シートとを固定する部分の他の形状を示す説明図である。
【図４】実施の形態５の収容体と反射シートとを固定する部分を示す説明図である。
【図５】実施の形態６の収容体と反射シートとを固定する部分を示す説明図である。
【発明を実施するための形態】
【００１４】
［実施の形態１］
図１は、表示装置１０の半断面図および断面図である。図１Ａは、表示装置１０の半断面図である。図１Ｂは、表示装置１０のＩ−Ｉ線による断面図である。以下の説明では、各図中に矢印で示す前、後、左、右、上および下のそれぞれの向きを使用する。
【００１５】
表示装置１０は、前面に映像を表示する表示パネル１１と、表示パネル１１の後面に光を照射するバックライトとを備える。バックライトは、発光体１６、反射シート２０および収容体３０を備える。
【００１６】
図１Ａの左半分は、表示装置１０の外観を示す。表示パネル１１は長方形の平板状の液晶パネルである。表示パネル１１の縁は、前枠１２で覆われている。前枠１２は、長方形の枠である。
【００１７】
図１Ａの右半分は、表示パネル１１を外して発光体１６および反射シート２０がみえるようにした断面図を示す。図１Ａの右半分と図１Ｂとを使用して、バックライトの構成を説明する。
【００１８】
収容体３０は、開口を前側に向けて表示パネル１１の後ろ側を覆う箱体である。収容体３０の底に、照明基板１７が配置されている。発光体１６は、照明基板１７の前面に縦横に並べて多数固定されている。発光体１６は、たとえば略半球形のレンズで覆われた白色ＬＥＤである。
【００１９】
反射シート２０は、箱型に折り曲げた樹脂製シートである。反射シート２０は、内側に反射率の高い面を有する。反射シート２０は、開口を前側に向けて収容体３０および照明基板１７の前側に配置されている。反射シート２０は、発光体１６に対応する位置に設けられた多数の孔を備える。それぞれの孔を貫通して、反射シート２０の前側に発光体１６が突出する。
【００２０】
反射シート２０の縁は、収容体３０の縁に重ねられている。収容体３０と反射シート２０とは、重なり部分の複数の箇所で後述するように固定されている。
【００２１】
図２は、収容体３０と反射シート２０とを固定する手順を示す説明図である。図２Ａは、反射シート２０の縁の拡大図である。図２Ｂは、収容体３０と反射シート２０とを固定する部分の拡大図である。図２Ｃは、ＩＩ−ＩＩ線による断面図である。
【００２２】
図２Ａを使用して、反射シート２０の形状を説明する。反射シート２０は、縁に台形の凸部２３を備える。凸部２３の中央部に直径がＦである円形の孔部２１および孔部２１に連続するスリット部２２が設けられている。２本のスリット部２２は、反射シート２０の縁に対して平行な方向に延びる。
【００２３】
図２Ｂを使用して、収容体３０と反射シート２０とを固定する部分の構造を説明する。収容体３０の縁に、突起４０が設けられている。突起４０を、スリット部２２および孔部２１に通すことにより、反射シート２０が収容体３０に固定されている。
【００２４】
図２Ｃを使用して、収容体３０に反射シート２０を固定する工程を説明する。突起４０は、基部４１および頭部４２を備える。頭部４２は円柱状であり、一方の底面に十字溝を有する。基部４１は円錐台状である。基部４１は、反射シート２０の厚さに比べて若干大きい高さを有する。基部４１は、直径が大きい側の底面で頭部４２に連続している。
【００２５】
突起４０は、頭部４２、基部４１および外周に雄ねじを有する取付部４３を備えるネジ５１を、収容体３０の縁に設けたねじ穴にねじ込むことにより、収容体３０に固定されている。
【００２６】
以下の説明では、頭部４２の断面寸法である直径をＧ、基部４１の基端部側の断面寸法である直径をＨで示す。孔部２１の直径Ｆと、突起４０の直径Ｇおよび直径Ｈとの関係は、Ｈ＜Ｆ＜Ｇである。すなわち、孔部２１は、頭部４２が通過できない寸法である。たとえば、孔部２１の直径Ｆは３．５ミリメートル、頭部４２の直径Ｇは４ミリメートル、基部４１の基端部側の直径Ｈは３ミリメートルである。
【００２７】
さらに、本実施の形態においては、いわゆる面取り加工等に用いられることの多い４５度の傾斜で基部４１の円錐面を形成する。基部４１の基端部から反射シート２０の厚さｔだけ前方における基部４１の直径は、基端部の直径Ｈにｔの２倍を加算したＨ＋２ｔである。したがって、反射シート２０の厚さｔと孔部２１の直径Ｆと基部４１の基端部側の直径Ｈとの関係は、Ｈ＋２ｔ＜Ｆである場合に、孔部２１の縁と基部４１とが干渉して反射シート２０にシワ、ウネリ等が発生することを防止できる。たとえば、反射シート２０の厚さは０．２ミリメートルである。
【００２８】
図２Ｃに二点鎖線で示す反射シート２０を、孔部２１と突起４０とが向かい合うように位置あわせする。矢印で示すように反射シート２０を収容体３０側に押し込む。反射シート２０の縁が変形し、スリット部２２および孔部２１が開いて頭部４２が通過する。頭部４２が通過した後、スリット部２２および孔部２１は元の形状に戻る。図２Ｂおよび図２Ｃに示すように、反射シート２０が頭部４２と収容体３０との間に入り込む。孔部２１の縁の一部または全部が基部４１の円錐面に接触または近接した状態になる。以上により、反射シート２０が収容体３０に位置決め固定される。反射シート２０の縁が平面の状態のままであれば、頭部４２は孔部２１を通過しないため、反射シート２０は収容体３０から外れない。
【００２９】
図１Ａに示すように、収容体３０は各辺の両端および中央付近の３箇所、４辺の合計で１２箇所に、突起４０を有する。反射シート２０は、それぞれの突起４０に対応する位置に台形の凸部２３を備える。それぞれの凸部２３は、図２Ａを使用して説明したように、孔部２１およびスリット部２２を有する。
【００３０】
表示装置１０の動作の概要を説明する。発光体１６は光を放射する。放射された光は、直接または反射シート２０で反射して、表示パネル１１の後ろ側から前側に透過する。
【００３１】
収容体３０の後側に設けられた制御基板１５（図１Ａ参照）による制御に基づいて、表示パネル１１を構成する各画素がバックライトから放射された光を透過および遮蔽する。バックライトの作用により、ユーザは表示パネル１１に表示される映像を視認することができる。
【００３２】
図１Ａに示す突起４０の配置は例示である。収容体３０の各辺に２個以下または４個以上の突起４０を配置しても良い。また、収容体３０の辺ごとに異なる数の突起４０を配置しても良い。孔部２１は、突起４０と対応する位置に配置する。
【００３３】
頭部４２は、半球形または先端側が細くなった弾丸形状等でも良い。このような形状にすることにより、頭部４２が容易に孔部２１を通過するようにすることができる。
【００３４】
反射シート２０は、凸部２３を備えず直線状の縁の近傍に孔部２１およびスリット部２２を有しても良い。
【００３５】
本実施の形態によると、反射シート２０の縁で位置決めと固定との両方を行うことが可能な表示装置１０を提供することができる。
【００３６】
スリット部２２が反射シート２０の縁に平行に設けられているので、表示装置１０の縁に沿った細い領域で収容体３０に反射シート２０を固定することができる。そのため、いわゆる狭額縁の表示装置１０を提供することができる。
【００３７】
制御基板１５に、テレビジョン放送のアンテナを接続するアンテナ端子およびテレビジョン放送の電波を受信するチューナ回路を備えたテレビジョン受信部を搭載することにより、表示装置１０をテレビジョン受信機に構成することができる。テレビジョン受信部が受信した放送信号に含まれる映像信号に基づき表示パネル１１に映像が表示される。
【００３８】
表示装置１０をテレビジョン受信機として使用することにより、反射シート２０の縁で位置決めと固定との両方を行うことが可能なテレビジョン受信機を提供することができる。
【００３９】
表示パネル１１の後ろ側に配置される、偏光シート、レンズシート等の図示しない光学シートの縁に孔部２１およびスリット部２２を設けて、本実施の形態の反射シート２０と同様の方法で収容体３０等に固定しても良い。
【００４０】
［実施の形態２］
図３は、収容体３０と反射シート２０とを固定する部分の他の形状を示す説明図である。図３Ａは、実施の形態２の収容体３０および基部４１の断面図である。図３Ｂは、実施の形態２の反射シート２０の拡大図である。図３Ａおよび図３Ｂを使用して、本実施の形態の構造を説明する。実施の形態１と共通する部分については説明を省略する。
【００４１】
本実施の形態においては、円錐台形状の基部４１の小さい方の底面が収容体３０の縁に接着等により固定されて、突起４０を形成している。基部４１は、反射シート２０の厚さに比べて若干大きい高さを有する。基部４１の大きい方の底面には、薄い頭部４２が連続している。以下の説明では、基部４１の基端部側の直径をＨ、頭部４２の直径をＧで示す。なお、突起４０は、収容体３０と一体に形成されていても良い。
【００４２】
図３Ｂに示す反射シート２０は、一辺の長さがＦである正方形の角を丸くした形状の孔部２１および孔部２１に連続するスリット部２２を有する。孔部２１の一辺の長さＦと突起４０の直径ＧおよびＨとの関係は、Ｈ＜Ｆ＜Ｇである。
【００４３】
本実施の形態によると、孔部２１が突起４０と向かい合うように位置あわせした反射シート２０を収容体３０側に押し込むことにより、収容体３０に反射シート２０を固定することができる。
【００４４】
突起４０は、基端部側が細い角錐台形状の基部４１および多角形の頭部４２を有しても良い。突起４０は、反射シート２０の厚さよりも大きい高さを有する柱状の基部４１および基部４１の底面よりも大きい形状の頭部４２を有しても良い。いずれの場合であっても、孔部２１の寸法は、頭部４２が通過できず、基部４１の基端部が通過できる寸法にする。
【００４５】
［実施の形態３］
本実施の形態は、４本のスリット部２２を備える表示装置１０に関する。図３Ｃおよび図３Ｄは、実施の形態３の反射シート２０の拡大図である。図３Ｃおよび図３Ｄを使用して、本実施の形態の構造を説明する。実施の形態１と共通する部分については説明を省略する。
【００４６】
反射シート２０は、孔部２１の縁に４本のスリット部２２を備える。スリット部２２と反射シート２０の縁とがなす角度は、約４５度である。４本のスリットを備えることにより、反射シート２０を小さい力で押し込むことにより収容体３０に固定することができる。
【００４７】
本実施の形態によると、弱い力で、反射シート２０を収容体３０に向けて押し込んで固定することが可能な表示装置１０を提供することができる。
【００４８】
スリット部２２は、反射シート２０の縁に対して垂直な方向および平行な方向に設けても良い。１個の孔部２１に対して３本のスリット部２２を設けても良い。１個の孔部２１に対して、５本以上のスリット部２２を設けても良い。
【００４９】
［実施の形態４］
本実施の形態は、反射シート２０の縁にＵ字型の切り欠きを備える表示装置１０に関する。図３Ｅは、実施の形態４の反射シート２０の拡大図である。図３Ｅを使用して、本実施の形態の構造を説明する。実施の形態１と共通する部分については説明を省略する。
【００５０】
反射シート２０は、孔部２１および孔部２１と同じ幅で反射シート２０の端部まで続くスリット部２２を有する。すなわち、孔部２１とスリット部２２とは一体になって開口部の幅がＦであるＵ字型の切り欠きを形成する。
【００５１】
本実施の形態においても、孔部２１が突起４０と向かい合うように位置あわせした反射シート２０を収容体３０側に押し込むことにより、収容体３０に反射シート２０を固定することができる。また、反射シート２０を弛ませて、切り込みの開口部を基部４１の側面に当てて収容体３０の面に沿って滑らせることによっても、収容体３０に反射シート２０を固定することができる。
【００５２】
［実施の形態５］
本実施の形態は、孔部２１の縁が屈曲した状態で収容体３０に反射シート２０を固定する表示装置１０に関する。図４は、実施の形態５の収容体３０と反射シート２０とを固定する部分を示す説明図である。図４Ａは、実施の形態５の反射シート２０の拡大図である。図４Ｂは、実施の形態５の収容体３０および突起４０の断面図である。図４Ｃは、収容体３０と反射シート２０とを固定する部分の断面図である。図４を使用して、本実施の形態の構造を説明する。実施の形態１と共通する部分については、説明を省略する。
【００５３】
反射シート２０は、直径がＦである円形の孔部２１の縁に４本のスリット部２２を有する。基部４１は、直径がＨの円柱である。頭部４２は、直径がＧの円柱である。本実施の形態においては、孔部２１の直径Ｆと突起４０の直径ＧおよびＨとの関係は、Ｆ＜Ｈ＜Ｇである。図４Ａに示す反射シート２０の孔部２１を、図４Ｂに示す突起４０に位置あわせして、収容体３０に向けて押し込んで固定した後の断面図を図４Ｃにそれぞれ示す。スリット部２２の近傍で反射シート２０が屈曲した状態で、反射シート２０が収容体３０に固定される。
【００５４】
孔部２１の縁が頭部４２に当たり、収容体３０の方向に押される状態で反射シート２０が固定されることが望ましい。このようにすることにより、屈曲している部分の弾性により反射シート２０が収容体３０に押し付けられて、所定の位置に固定される。
【００５５】
［実施の形態６］
本実施の形態は、略Ｕ字型のスリット部２２を備える表示装置１０に関する。図５は、実施の形態６の収容体３０と反射シート２０とを固定する部分を示す説明図である。図５Ａは、実施の形態６の反射シート２０の拡大図である。図５Ｂは、実施の形態６の収容体３０と反射シート２０とを固定する工程を示す説明図である。図５Ｃは、収容体３０に反射シート２０を固定した状態の正面図である。図５Ｄは、Ｖ−Ｖ線による断面図である。図５を使用して、本実施の形態の構造を説明する。実施の形態１と共通する部分については、説明を省略する。
【００５６】
図５Ａに示すように、本実施の形態の反射シート２０は、孔部２１に連続する略Ｕ字型のスリット部２２を有する。スリット部２２で囲まれた部分は、可動部２４を形成している。図５Ｂに示すように、可動部２４と突起４０とを位置あわせし、凸部２３を収容体３０に向けて押しながら反射シート２０を図５Ｂ中の左向きに引く。このようにすることにより、可動部２４が開いて頭部４２が通過可能な孔が開口する。孔部２１に基部４１の基端部が入った状態で、可動部２４を閉じて基部４１に押し込む。可動部２４の先端部は、基部４１に沿って若干変形する。その結果、図５Ｃおよび図５Ｄに示すように、収容体３０に反射シート２０を固定することができる。
【００５７】
反射シート２０の複数の辺の近傍にＵ字型のスリット部２２を設ける場合には、各スリット部２２の開口が同じ方向を向くように配置する。
【００５８】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００５９】
以上のように、本発明にかかる表示装置１０は、前面に映像を表示する表示パネル１１の後面を覆い、該表示パネル１１の後面への照射光の光源および該光源の発光を反射する反射シート２０を収容する収容体３０と、前記収容体３０の縁部に前側に向けて突設され、基部４１および該基部４１よりも大きい断面寸法を有する頭部４２を有する突起４０と、前記反射シート２０の縁部に形成され、前記突起４０に係合する孔部２１および該孔部２１に連続して設けられたスリット部２２とを備える。
【００６０】
本発明にあっては、反射シート２０の縁に設けた孔部２１を収容体３０の縁に設けた突起４０に挿入することにより、収容体３０と反射シート２０とを固定するので、大画面であっても、製作が容易な表示装置１０を提供することができる。
【００６１】
本発明にかかる表示装置１０は、前記孔部２１は、前記頭部４２の最大断面寸法よりも小さい寸法である。
【００６２】
本発明にあっては、突起４０の根元まで孔部２１を通した後では、反射シート２０が頭部４２に引っ掛かって外れにくいため、製作が容易な表示装置１０を提供することができる。
【００６３】
本発明にかかる表示装置１０は、前記突起４０は、基端部の断面の形状および最も太い部分の断面の形状がいずれも円形であり、前記孔部２１は円形であり、Ｈ＜Ｆ＜ＧおよびＨ＋２ｔ＜Ｆの関係を満たす。ここで、Ｈは突起４０の基端部の直径、Ｇは突起４０の最も太い部分の直径、Ｆは孔部２１の直径、ｔは反射シート２０の厚さである。
【００６４】
本発明にあっては、孔部２１の縁が突起４０の基部４１と干渉しにくく、反射シート２０をスムーズに固定できるため、製作が容易な表示装置１０を提供することができる。
【００６５】
本発明にかかる表示装置１０は、前記スリット部２２は、前記反射シート２０の縁と平行である。
【００６６】
本発明にあっては、表示装置１０の縁に沿った細い領域で収容体３０に反射シート２０を固定することができる。そのため、いわゆる狭額縁の表示装置１０を提供することができる。
【００６７】
本発明にかかるテレビジョン受信機は、上述のいずれか一つに記載の表示装置１０と、テレビジョン放送を受信する受信部とを備え、前記受信部にて受信したテレビジョン放送に基づいて、前記表示装置１０に映像を表示するようにしてある。
【符号の説明】
【００６８】
１０  表示装置
１１  表示パネル
１２  前枠
１５  制御基板
１６  発光体
１７  照明基板
２０  反射シート
２１  孔部
２２  スリット部
２３  凸部
２４  可動部
３０  収容体
４０  突起
４１  基部
４２  頭部
４３  取付部
５１  ネジ
【図１】
2017162779.tif 000003
【図２】
2017162779.tif 000004
【図３】
2017162779.tif 000005
【図４】
2017162779.tif 000006
【図５】
2017162779.tif 000007